(57)【要約】  【課題】  音楽ＣＤ等の記録媒体から取り込んだコンテンツデータに関する付随情報をデータベースから取得することの試行を自動で随時行うことが可能となる情報取得方法、及びコンテンツ記憶装置を提供する。  【解決手段】  音楽ＣＤ（記録媒体）２１から音楽データ（コンテンツデータ）を取り込む際にデータベースサーバ装置（データベース）３から音楽データに関する付随情報を取得する音楽記憶装置（コンテンツ記憶装置）１は、取り込んだ音楽データに関する付随情報を取得できない場合は、音楽ＣＤ２１のＴＯＣ情報（特定情報）を記憶しておき、記憶したＴＯＣ情報を用いて付随情報の取得を随時試行する。データベースサーバ装置３の記憶内容が更新された際に、改めて必要な付随情報を取得することが可能となる。【選択図】        図１
2006338814.tif 000002
【特許請求の範囲】
【請求項１】
コンテンツの情報及び記録内容を特定するための特定情報を記録している記録媒体からコンテンツの情報を読み出し、読み出したコンテンツの情報を所定のデータ形式に変換したコンテンツデータを記憶するコンテンツ記憶装置にて、記録媒体から特定情報を読み出し、コンテンツに関する付随情報を記録するデータベースから、読み出した特定情報に対応する付随情報を取得する方法において、
前記コンテンツ記憶装置は、
記録媒体から読み出した特定情報に対応する付随情報が前記データベースに記録されている場合に、前記付随情報を前記データベースから取得して、前記記録媒体から読み出して変換したコンテンツデータに関連付けて前記付随情報を記憶し、
記録媒体から読み出した特定情報に対応する付随情報が前記データベースに記録されていない場合に、記録媒体から読み出した特定情報を、前記記録媒体から読み出して変換したコンテンツデータに関連付けて記憶し、
記憶した特定情報に対応する付随情報を前記データベースから取得することを随時試行すること
を特徴とする情報取得方法。
【請求項２】
コンテンツの情報及び記録内容を特定するための特定情報を記録している記録媒体からコンテンツの情報を読み出し、読み出したコンテンツの情報を所定のデータ形式に変換したコンテンツデータを記憶する記憶手段と、前記記録媒体から特定情報を読み出す読出手段と、コンテンツに関する付随情報を記録する外部又は内部のデータベースから、前記読出手段が読み出した特定情報に対応する付随情報を取得することを試行する取得手段と、該取得手段が前記付随情報を取得できた場合に、前記取得手段が取得した前記付随情報を、前記記録媒体から読み出して変換したコンテンツデータに関連付けて記憶する手段とを備えるコンテンツ記憶装置において、
前記取得手段が前記付随情報を取得できなかった場合に、記録媒体から前記読出手段が読み出した特定情報を、前記記録媒体から読み出して変換したコンテンツデータに関連付けて記憶する手段と、
該手段が記憶した特定情報に対応する付随情報を前記データベースから取得することを随時試行する取得再試行手段と、
該取得再試行手段が前記付随情報を取得できた場合に、前記取得再試行手段が取得した前記付随情報を、前記特定情報が関連付けられているコンテンツデータに関連付けて記憶する付随情報記憶手段と
を備えることを特徴とするコンテンツ記憶装置。
【請求項３】
前記取得手段が前記付随情報を取得できなかった場合に、仮の内容でなる仮付随情報を作成する手段と、
該手段が作成した仮付随情報を、前記特定情報が関連付けられているコンテンツデータに関連付けて記憶する手段とを更に備え、
前記付随情報記憶手段は、前記コンテンツデータに関連付けられている仮付随情報を前記取得再試行手段が取得した前記付随情報で置換する手段を有すること
を特徴とする請求項２に記載のコンテンツ記憶装置。
【請求項４】
前記取得手段が前記付随情報を取得できなかった場合に、前記付随情報の一部又は全部の内容を入力される手段と、
該手段が入力された内容でなる入力付随情報を、前記特定情報が関連付けられているコンテンツデータに関連付けて記憶する手段と、
前記取得再試行手段が前記付随情報を取得できた場合に、入力付随情報が関連付けられているコンテンツデータに前記付随情報記憶手段が前記付随情報を関連付けることを制限する手段と
を更に備えることを特徴とする請求項２又は３に記載のコンテンツ記憶装置。
【請求項５】
前記取得再試行手段が特定情報に対応する付随情報を前記データベースから取得することを試行する都度、前記付随情報を取得することを試行した回数に関する回数情報を前記特定情報に関連付けて記憶する手段と、
該手段が記憶する前記回数情報の内容に応じて、前記取得再試行手段が前記特定情報に対応する付随情報を前記データベースから取得することを試行する頻度を調整する手段と
を更に備えることを特徴とする請求項２乃至５のいずれか一つに記載のコンテンツ記憶装置。
【発明の詳細な説明】
【技術分野】
【０００１】
本発明は、コンテンツの情報を記録する音楽ＣＤ等の記録媒体から取り込んだコンテンツデータに関する付随情報を取得する情報取得方法、及びコンテンツ記憶装置に関する。
【背景技術】
【０００２】
従来、音楽を記録している記録媒体である音楽ＣＤ（Compact Disc）から音楽の情報を読み出し、読み出した音楽の情報をＭＰ３（MPEG-1 Audio Layer-3）ファイル等のデータ形式の音楽データへ変換し、変換した音楽データをハードディスク等の記憶手段に記憶する技術が用いられている。この技術を用いることにより、音楽ＣＤを保管しておく一方で、大容量の記憶手段を備えたオーディオ再生装置又はパーソナルコンピュータ（ＰＣ）等の音楽記憶装置は、多数の音楽ＣＤから取り込んだ音楽データを一括して記憶することが可能となっている。音楽記憶装置が記憶する大量の音楽データを管理する方法として、音楽のタイトル、音楽のアーティスト名、又は音楽ＣＤのアルバム名等、音楽データに関する付随情報を音楽データに関連付けて記憶しておき、付随情報を用いて音楽データを管理する方法が用いられている。通常、付随情報を用いて音楽データが指定され、音楽記憶装置は、指定された音楽データに基づいて音楽を再生する。
【０００３】
ところで、音楽データに関する付随情報は音楽ＣＤには記録されていないので、音楽記憶装置は付随情報を別途取得する必要がある。一般に音楽ＣＤは、音楽ＣＤが記録する各音楽の演奏時間に関する情報であるＴＯＣ（Table of Contents ）情報を記録しており、このＴＯＣ情報に基づいて音楽ＣＤを特定する技術が知られている。そこで、音楽ＣＤが記録する各音楽の付随情報を記憶したデータベースを構成しておき、音楽記憶装置は、音楽ＣＤからＴＯＣ情報を読み出し、読み出したＴＯＣ情報に基づいて音楽ＣＤに係る付随情報をデータベースから検索して取得する技術が開発されている。この技術の例は、例えば特許文献１及び２に開示されている。音楽記憶装置は、音楽ＣＤから取り込んだ音楽データとデータベースから取得した付随情報とを互いに関連付けて記憶する。通常、付随情報を記録したデータベースは、インターネット等の通信ネットワークに接続されたサーバ装置を用いて構成されており、音楽記憶装置は、通信ネットワークを介してデータベースから付随情報を取得する。また、光ディスク等の記録媒体に付随情報を記録することでデータベースを構成することも行われることがある。
【特許文献１】特開２００１−１１０１７１号公報
【特許文献２】特開２００４−１４５７０１号公報
【発明の開示】
【発明が解決しようとする課題】
【０００４】
しかしながら、発売されて間もない音楽ＣＤ等、音楽ＣＤによっては付随情報がデータベースに記録されていないこともある。音楽記憶装置は、このような音楽ＣＤから取り込んだ音楽データに関する付随情報を取得することができないので、付随情報を用いた音楽データの管理を行うことができない。この場合、付随情報を使用者が入力することも可能であるが、この場合は使用者の手間が大きいという問題がある。付随情報を記録したデータベースは更新され続けるので、付随情報の検索を随時行うことで最終的に付随情報を取得できる可能性はある。しかし、音楽ＣＤから読み出すＴＯＣ情報を用いて付随情報の検索を行うので、付随情報の検索を行おうとする都度、保管してある音楽ＣＤを持ち出してＴＯＣ情報を読み出す必要があり、自動で検索を行うことができないという問題がある。
【０００５】
本発明は、斯かる事情に鑑みてなされたものであって、その目的とするところは、データベースから付随情報を取得できなかった場合に、付随情報の取得の試行を自動で随時行うことが可能となる情報取得方法、及びコンテンツ記憶装置を提供することにある。
【課題を解決するための手段】
【０００６】
本発明に係る情報取得方法は、コンテンツの情報及び記録内容を特定するための特定情報を記録している記録媒体からコンテンツの情報を読み出し、読み出したコンテンツの情報を所定のデータ形式に変換したコンテンツデータを記憶するコンテンツ記憶装置にて、記録媒体から特定情報を読み出し、コンテンツに関する付随情報を記録するデータベースから、読み出した特定情報に対応する付随情報を取得する方法において、前記コンテンツ記憶装置は、記録媒体から読み出した特定情報に対応する付随情報が前記データベースに記録されている場合に、前記付随情報を前記データベースから取得して、前記記録媒体から読み出して変換したコンテンツデータに関連付けて前記付随情報を記憶し、記録媒体から読み出した特定情報に対応する付随情報が前記データベースに記録されていない場合に、記録媒体から読み出した特定情報を、前記記録媒体から読み出して変換したコンテンツデータに関連付けて記憶し、記憶した特定情報に対応する付随情報を前記データベースから取得することを随時試行することを特徴とする。
【０００７】
本発明に係るコンテンツ記憶装置は、コンテンツの情報及び記録内容を特定するための特定情報を記録している記録媒体からコンテンツの情報を読み出し、読み出したコンテンツの情報を所定のデータ形式に変換したコンテンツデータを記憶する記憶手段と、前記記録媒体から特定情報を読み出す読出手段と、コンテンツに関する付随情報を記録する外部又は内部のデータベースから、前記読出手段が読み出した特定情報に対応する付随情報を取得することを試行する取得手段と、該取得手段が前記付随情報を取得できた場合に、前記取得手段が取得した前記付随情報を、前記記録媒体から読み出して変換したコンテンツデータに関連付けて記憶する手段とを備えるコンテンツ記憶装置において、前記取得手段が前記付随情報を取得できなかった場合に、記録媒体から前記読出手段が読み出した特定情報を、前記記録媒体から読み出して変換したコンテンツデータに関連付けて記憶する手段と、該手段が記憶した特定情報に対応する付随情報を前記データベースから取得することを随時試行する取得再試行手段と、該取得再試行手段が前記付随情報を取得できた場合に、前記取得再試行手段が取得した前記付随情報を、前記特定情報が関連付けられているコンテンツデータに関連付けて記憶する付随情報記憶手段とを備えることを特徴とする。
【０００８】
本発明においては、音楽ＣＤ等の記録媒体からコンテンツデータを取り込む際にデータベースからコンテンツデータに関するアルバム名等の付随情報を取得するコンテンツ記憶装置は、記録媒体から取り込んだコンテンツデータに関する付随情報を取得できない場合は、付随情報を取得するために必要な、記録媒体の記録内容を特定するための特定情報を記憶しておき、記憶した特定情報を用いて付随情報の取得を随時試行することにより、データベースに付随情報が記憶されていない場合でも、データベースが更新された際に、改めて必要な付随情報を取得することが可能となる。
【０００９】
本発明に係るコンテンツ記憶装置は、前記取得手段が前記付随情報を取得できなかった場合に、仮の内容でなる仮付随情報を作成する手段と、該手段が作成した仮付随情報を、前記特定情報が関連付けられているコンテンツデータに関連付けて記憶する手段とを更に備え、前記付随情報記憶手段は、前記コンテンツデータに関連付けられている仮付随情報を前記取得再試行手段が取得した前記付随情報で置換する手段を有することを特徴とする。
【００１０】
また本発明においては、コンテンツ記憶装置が付随情報を取得できない場合に、日付等の仮の内容からなる仮付随情報をコンテンツデータに関連付けておき、付随情報を取得できた場合に、取得した付随情報で仮付随情報を置換する。
【００１１】
本発明に係るコンテンツ記憶装置は、前記取得手段が前記付随情報を取得できなかった場合に、前記付随情報の一部又は全部の内容を入力される手段と、該手段が入力された内容でなる入力付随情報を、前記特定情報が関連付けられているコンテンツデータに関連付けて記憶する手段と、前記取得再試行手段が前記付随情報を取得できた場合に、入力付随情報が関連付けられているコンテンツデータに前記付随情報記憶手段が前記付随情報を関連付けることを制限する手段とを更に備えることを特徴とする。
【００１２】
また本発明においては、コンテンツ記憶装置が付随情報を取得できない場合に、使用者が入力した内容からなる入力付随情報をコンテンツデータに関連付けておき、付随情報を取得できた場合に、入力付随情報が関連付けられているコンテンツデータについては、取得した付随情報を入力付随情報の代わりに関連付けることを制限し、使用者が入力した内容からなる入力付随情報がコンテンツデータに関連付けられた状態を残すことを可能にする。
【００１３】
本発明に係るコンテンツ記憶装置は、前記取得再試行手段が特定情報に対応する付随情報を前記データベースから取得することを試行する都度、前記付随情報を取得することを試行した回数に関する回数情報を前記特定情報に関連付けて記憶する手段と、該手段が記憶する前記回数情報の内容に応じて、前記取得再試行手段が前記特定情報に対応する付随情報を前記データベースから取得することを試行する頻度を調整する手段とを更に備えることを特徴とする。
【００１４】
更に本発明においては、コンテンツデータに関する付随情報をデータベースから取得することを試行した回数に関する回数情報を記憶しておき、回数情報の内容に応じて、コンテンツデータに関する付随情報をデータベースから取得することを試行する頻度を調整することにより、試行回数が多いコンテンツデータについては、付随情報の取得を試行する頻度を下げることが可能となる。
【発明の効果】
【００１５】
本発明にあっては、コンテンツ記憶装置は、記憶している記録媒体の特定情報を用いてコンテンツデータに関する付随情報の取得の試行を随時行うことができるので、保管してある音楽ＣＤ等の記録媒体を持ち出すことなく、使用者に手間をかけさせずに容易に付随情報を取得することが可能となる。
【００１６】
また本発明にあっては、コンテンツ記憶装置が付随情報を取得できない場合に、日付等の仮の内容からなる仮付随情報を音楽データに関連付けておくことにより、付随情報が未取得の状態であっても、仮付随情報を利用して音楽データを管理することが可能となる。
【００１７】
また本発明にあっては、コンテンツ記憶装置が付随情報を取得した後でも、使用者が入力した内容からなる入力付随情報がコンテンツデータに関連付けられた状態を残すことが可能となるので、使用者が手動で入力した入力付随情報を用いて音楽データを管理することが可能となる。
【００１８】
更に本発明にあっては、付随情報の取得を試行した試行回数が多いコンテンツデータは、音楽ＣＤ等の記録媒体の流通量が少ない等の理由によって、このコンテンツデータに関する付随情報はデータベースサーバには将来にわたって記憶されることがない可能性が高いので、付随情報の取得を試行する頻度を下げることにより、コンテンツ記憶装置の処理速度を向上させることができる等、本発明は優れた効果を奏する。
【発明を実施するための最良の形態】
【００１９】
以下本発明をその実施の形態を示す図面に基づき具体的に説明する。以下の実施の形態では、本発明のコンテンツ記憶装置の例として、音楽ＣＤから取り込んだ音楽データを記憶する音楽記憶装置を主に示しながら本発明を説明する。
【００２０】
図１は、本発明のコンテンツ記憶装置である音楽記憶装置１の内部の機能構成を示す機能ブロック図である。音楽記憶装置１は、オーディオ再生装置又はＰＣを用いて構成されており、演算を行うＣＰＵ１１と、演算に伴って発生する一時的な情報を記憶するＲＡＭ１２と、制御プログラムを記憶するＲＯＭ１３とを記憶している。ＣＰＵ１１は、ＲＯＭ１３が記憶する制御プログラムに従って、音楽記憶装置１の動作を制御する処理を行う構成となっている。
【００２１】
また音楽記憶装置１は、本発明に係る記録媒体である音楽ＣＤ２１を受け入れることができるドライブ部（読出手段）１４と、ハードディスク等の記憶部（記憶手段、付随情報記憶手段）１５とを備えている。ドライブ部１４は、受け入れた音楽ＣＤ２１が記録している音楽（コンテンツ）の情報を読み出し、ＣＰＵ１１は、読み出した音楽の情報をＭＰ３ファイル等のデータ形式の音楽データ（コンテンツデータ）へ変換し、記憶部１５は、音楽データを記憶する構成となっている。なお、制御プログラムの一部又は全部を記憶部１５が記憶しておき、ＣＰＵ１１は、必要に応じて記憶部１５からＲＡＭ１２へロードした制御プログラムに従って処理を行う形態であってもよい。
【００２２】
また音楽記憶装置１は、各種の情報を表示する液晶ディスプレイ等の表示部１６と、テンキー等の各種のスイッチでなり、使用者が操作することによって各種の処理指示を受け付ける操作部１７とを備えている。なお、表示部１６及び操作部１７は、タッチパネルを用いた構成であってもよい。また音楽記憶装置１は、図示しないリモートコントローラからの信号を受信可能とし、使用者がリモートコントローラを操作することによって各種の処理指示を受け付ける形態であってもよい。
【００２３】
また音楽記憶装置１は、外部の通信ネットワークＮに接続された通信部１８を備えている。通信部１８は、通信ネットワークＮとの間で各種の情報を交換する構成となっている。更に音楽記憶装置１は、記憶部１５が記憶する音楽データに基づいて音楽を再生するための処理を行う再生処理部１９を備えている。再生処理部１９には、スピーカ２２，２２が接続されており、再生処理部１９は、記憶部１５が記憶している音楽データをデコードしてＤＡ変換した音声データをスピーカ２２，２２へ出力して、スピーカ２２，２２に音声を発生させることにより、音楽データに基づいた音楽を再生する処理を行う。なお、音楽を再生するための処理の一部をＣＰＵ１１が実行する形態であってもよい。
【００２４】
通信ネットワークＮは、ＬＡＮ（Local Area Network）、ＷＡＮ（ Wide Area Network）又はインターネット等からなる。通信ネットワークＮには、サーバ装置を用いてなるデータベースサーバ装置３が接続されている。データベースサーバ装置３は、音楽記憶装置１が音楽ＣＤから取り込む音楽データに関する音楽のタイトル、音楽のアーティスト名、又は音楽ＣＤのアルバム名等の付随情報を記憶しており、本発明に係るデータベースを構成している。音楽ＣＤ２１は、記録している音楽の内容を特定するための特定情報としてＴＯＣ情報を記録している。データベースサーバ装置３は、音楽ＣＤのＴＯＣ情報又はＴＯＣ情報に対応した音楽ＣＤの識別情報に関連付けて音楽データの付随情報を記憶しており、ＴＯＣ情報に基づいて、そのＴＯＣ情報を記録している音楽ＣＤから取り込める音楽データの付随情報を検索することができる構成となっている。データベースサーバ装置３の記憶内容は、新規の音楽ＣＤに係る付随情報が追加されることによって、随時更新されている。
【００２５】
次に、以上の構成でなる音楽記憶装置１が行う処理を説明する。音楽記憶装置１は、ドライブ部１４で受け入れた音楽ＣＤ２１から音楽データを取り込み、音楽データに関する付随情報をデータベースサーバ装置３から取得する処理を行う。図２及び図３は、本発明のコンテンツ記憶装置である音楽記憶装置１が音楽データの記憶及び付随情報の取得を行う処理の手順を示すフローチャートである。音楽記憶装置１のＣＰＵ１１は、ＲＯＭ１３が記憶する制御プログラムに従って以下の処理を実行する。
【００２６】
音楽記憶装置１のＣＰＵ１１は、音楽データをまだ取り込んでいない音楽ＣＤ２１をドライブ部１４で受け入れた状態で、操作部１７を使用者が操作することによる、音楽データの取り込み指示の受付を待ち受ける（Ｓ１０１）。音楽データの取り込み指示の受付がない場合は（Ｓ１０１：ＮＯ）、ＣＰＵ１１は、音楽データの取り込み指示の受付の待ち受けを続行する。音楽データの取り込み指示を操作部１７で受け付けた場合は（Ｓ１０１：ＹＥＳ）、ＣＰＵ１１は、ドライブ部１４に音楽ＣＤ２１から音楽の情報を読み出させ、読み出した音楽の情報をＭＰ３ファイル等のデータ形式の音楽データへ変換し、変換した音楽データを記憶部１５に記憶させる（Ｓ１０２）。ＣＰＵ１１は、次に、音楽ＣＤ２１が記録しているＴＯＣ情報をドライブ部１４に読み出させ（Ｓ１０３）、読み出したＴＯＣ情報、及び当該ＴＯＣ情報に対応する付随情報の検索要求を、通信部１８に、通信ネットワークＮを介してデータベースサーバ装置３へ送信させる（Ｓ１０４）。このようにしてＣＰＵ１１及び通信部１８は、本発明に係る取得手段として機能する。
【００２７】
データベースサーバ装置３は、音楽記憶装置１から通信ネットワークＮを介して送信されたＴＯＣ情報及び検索要求を受信し（Ｓ１０５）、記憶している付随情報の中から、受信したＴＯＣ情報に対応する付随情報を検索する（Ｓ１０６）。データベースサーバ装置３がＴＯＣ情報に関連付けて付随情報を記憶している形態の場合は、データベースサーバ装置３は、受信したＴＯＣ情報に関連付けられた付随情報を検索する。またＴＯＣ情報に対応した音楽ＣＤの識別情報に関連付けてデータベースサーバ装置３が音楽データの付随情報を記憶している形態の場合は、データベースサーバ装置３は、受信したＴＯＣ情報に基づいて音楽ＣＤ２１の識別情報を検索し、更に、検索した識別情報に関連付けられた付随情報を検索する。このようにして、データベースサーバ装置３は、音楽記憶装置１が音楽ＣＤ２１から取り込んだ音楽データに関する付随情報を検索する。データベースサーバ装置３は、次に、通信ネットワークＮを介して、検索結果を音楽記憶装置１へ送信する（Ｓ１０７）。このとき、データベースサーバ装置３は、受信したＴＯＣ情報に対応する付随情報を探し当てた場合は、探し当てた付随情報を送信し、受信したＴＯＣ情報に対応する付随情報を探し当てられなかった場合は、付随情報がないことを示す情報を送信する。
【００２８】
音楽記憶装置１は、データベースサーバ装置３から送信された検索結果を通信部１８で受信する（Ｓ１０８）。ＣＰＵ１１は、次に、音楽ＣＤ２１から取り込んだ音楽データに関する付随情報を取得できたか否かを判定する（Ｓ１０９）。受信した検索結果が付随情報であって、付随情報を取得できた場合は（Ｓ１０９：ＹＥＳ）、ＣＰＵ１１は、タイトル名、アーティスト名又はアルバム名等の受信した付随情報、及び音楽データに関する付随情報を取得できた状態を表す状態情報を、音楽ＣＤ２１から取り込んだ音楽データに関連付けて記憶部１５に記憶させ（Ｓ１１０）、処理を終了する。
【００２９】
ステップＳ１０９で、受信した検索結果が付随情報がないことを示す情報であって、付随情報を取得できなかった場合は（Ｓ１０９：ＮＯ）、ＣＰＵ１１は、タイトル名、アーティスト名又はアルバム名等の付随情報の内容が仮の内容でなる仮付随情報を作成する（Ｓ１１１）。ここで、ＣＰＵ１１は、日付、又は音楽データを作成した順番等を付随情報の仮の内容とすることで、仮付随情報を作成する。ＣＰＵ１１は、次に、作成した仮付随情報、付随情報を取得できていない状態であることを表す状態情報、付随情報の取得の試行を１回行ったことを示す回数情報、及び音楽ＣＤ２１から読み出したＴＯＣ情報を、音楽ＣＤ２１から取り込んだ音楽データに関連付けて記憶部１５に記憶させる（Ｓ１１２）。ＣＰＵ１１は、次に、作成した仮付随情報の内容を表示部１６に表示させ、使用者が操作部１７を操作して仮付随情報の内容を書き換えるべく付随情報の内容を入力することによる、付随情報を取得できなかった音楽データに関する付随情報の一部又は全部の内容が入力されることを待ち受ける（Ｓ１１３）。付随情報の内容の入力がなかった場合は（Ｓ１１３：ＮＯ）、ＣＰＵ１１は、処理を終了する。付随情報の内容が操作部１７に入力された場合は（Ｓ１１３：ＹＥＳ）、ＣＰＵ１１は、入力された内容でなる入力付随情報、及び入力付随情報が関連付けられている状態を表す状態情報を、音楽ＣＤ２１から取り込んだ音楽データに関連付けて記憶部１５に記憶させ（Ｓ１１４）、処理を終了する。
【００３０】
図４は、音楽記憶装置１が記憶部１５に記憶する記憶内容の例を概念的に示す概念図である。各音楽データは、取り込み元の音楽ＣＤ単位でまとめて記録されている。付随情報を取得済みである状態を表す状態情報が関連付けられている音楽データには、アルバム名、アーティスト名又はタイトル等のデータベースサーバ装置３から取得した付随情報が関連付けられており、ＴＯＣ情報は関連付けられていない。また、付随情報が未取得である状態を表す状態情報が関連付けられている音楽データには、回数情報が関連付けられ、更に音楽ＣＤ単位で該音楽ＣＤから読み出されたＴＯＣ情報が関連付けられている。このうち、入力付随情報がある状態を示す状態情報が関連付けられていない音楽データには、付随情報として、日付等で付随情報の内容を仮に表した仮付随情報が関連付けられている。また、入力付随情報がある状態を示す状態情報が関連付けられている音楽データには、付随情報として、仮付随情報の一部又は全部を置換した入力付随情報が関連付けられている。
【００３１】
音楽記憶装置１は、付随情報が関連付けられていない音楽データについて、データベースサーバ装置３から付随情報を取得することの試行を随時実行する。図５及び図６は、本発明のコンテンツ記憶装置である音楽記憶装置１が、付随情報を取得できなかった音楽データについて付随情報の取得を再度試行する処理の手順を示すフローチャートである。音楽記憶装置１のＣＰＵ１１は、ＲＯＭ１３が記憶する制御プログラムに従って以下の処理を実行する。
【００３２】
音楽記憶装置１のＣＰＵ１１は、付随情報の取得を試行すべき予め定められた日時になったか、前回の試行から所定の時間が経過したか、又は使用者が操作部１７を操作して付随情報の取得の試行指示を入力する等による、付随情報の取得を試行する条件となることを待ち受けている（Ｓ２０１）。付随情報の取得を試行する条件になっていない場合は（Ｓ２０１：ＮＯ）、ＣＰＵ１１は、付随情報の取得を試行する条件となることの待ち受けを続行する。ＣＰＵ１１は、次に、記憶部１５で音楽データに関連付けられている状態情報に基づいて、記憶部１５に記憶している音楽データの内で付随情報が未取得である音楽データがあるか否かを判定する（Ｓ２０２）。付随情報が未取得である音楽データがない場合は（Ｓ２０２：ＮＯ）、ＣＰＵ１１は、処理を終了する。
【００３３】
ステップＳ２０２で付随情報が未取得である音楽データがある場合は（Ｓ２０２：ＹＥＳ）、ＣＰＵ１１は、付随情報が未取得である音楽データの中から、一の音楽ＣＤ２１から取り込んだ一又は複数の音楽データを選択する（Ｓ２０３）。ＣＰＵ１１は次に、選択した音楽データに関連付けられている回数情報に基づいて、付随情報の取得を試行した試行回数が所定回数以上であるか否かを判定する（Ｓ２０４）。付随情報の取得を試行した試行回数が所定回数以上である場合は（Ｓ２０４：ＹＥＳ）、ＣＰＵ１１は、付随情報の取得の試行を実行すべきか否かを判定する（Ｓ２０５）。このときＣＰＵ１１は、一定の確率で試行を実行するように乱数を用いて判定するか、予め定められた日時である場合に試行を実行するように判定するか、又は使用者が操作部１７を操作することにより試行を実行すべきとの指示を受け付けた場合に試行を実行するように判定する等の方法により、判定を行う。付随情報の取得の試行を実行すべきでないと判定した場合は（Ｓ２０５：ＮＯ）、ＣＰＵ１１は、付随情報取得の試行を実行せずに、処理を後述するステップＳ２１６へ進める。付随情報の取得を試行した試行回数が多い音楽データの場合は、音楽ＣＤ２１の流通量が少ない等の理由によって、当該音楽データに関する付随情報はデータベースサーバ装置３には将来にわたって記憶されることがない可能性が高いので、付随情報の取得を試行する頻度を下げることにより、処理速度を向上させることができる。
【００３４】
ステップＳ２０４で付随情報の取得を試行した試行回数が所定回数未満である場合（Ｓ２０４：ＮＯ）、又はステップＳ２０５で付随情報の取得の試行を実行すべであると判定した場合は（Ｓ２０５：ＹＥＳ）、ＣＰＵ１１は、選択している音楽データに関連付けて記憶部１５で記憶しているＴＯＣ情報、及び当該ＴＯＣ情報に対応する付随情報の検索要求を、通信部１８に、データベースサーバ装置３へ送信させる（Ｓ２０６）。このようにしてＣＰＵ１１及び通信部１８は、本発明に係る取得再試行手段として機能する。データベースサーバ装置３は、記憶している付随情報の中から、音楽記憶装置１から送信されたＴＯＣ情報に対応する付随情報を検索し、検索結果を音楽記憶装置１へ送信する。音楽記憶装置１は、データベースサーバ装置３から送信された検索結果を通信部１８で受信し（Ｓ２０７）、ＣＰＵ１１は、選択している音楽データに関する付随情報を取得できたか否かを判定する（Ｓ２０８）。
【００３５】
ステップＳ２０８で、受信した検索結果が付随情報であって付随情報を取得できた場合は（Ｓ２０８：ＹＥＳ）、ＣＰＵ１１は、選択した音楽データに関連付けられている状態情報に基づいて、音楽データに入力付随情報が関連付けられているか否かを判定する（Ｓ２０９）。音楽データに入力付随情報が関連付けられている場合は（Ｓ２０９：ＹＥＳ）、ＣＰＵ１１は、入力付随情報をデータベースサーバ装置３から受信した付随情報で置換することの許可を求める情報を表示部１６に表示させて、使用者が操作部１７を操作することによる、入力付随情報を取得した付随情報で置換することの許可の受付を待ち受ける（Ｓ２１０）。置換の許可を操作部１７で受け付けた場合は（Ｓ２１０：ＹＥＳ）、ＣＰＵ１１は、選択した音楽データに関連付けて記憶部１５に記憶してある入力付随情報及び仮付随情報を、取得した付随情報で置換する（Ｓ２１１）。置換の許可の受付がなかった場合は（Ｓ２１０：ＮＯ）、ＣＰＵ１１は、選択した音楽データに関連付けて記憶部１５に記憶してある入力付随情報及び仮付随情報の内、入力付随情報を残して、取得した付随情報で仮付随情報を置換する（Ｓ２１２）。
【００３６】
ステップＳ２０９で音楽データの入力付随情報が関連付けられていない場合は（Ｓ２０９：ＮＯ）、ＣＰＵ１１は、選択した音楽データに関連付けて記憶部１５に記憶してある仮付随情報を、取得した付随情報で置換する（Ｓ２１３）。ステップＳ２１１、ステップＳ２１２又はステップＳ２１３が終了した後は、ＣＰＵ１１は、選択した音楽データに関連付けられている状態情報を、付随情報が取得済みである状態を表す状態情報へ更新し（Ｓ２１４）、処理を後述するステップＳ２１６へ進める。なお、選択した一又は複数の音楽データについて一括して入力付随情報を付随情報で置換することの許可を受け付けるのではなく、各音楽データについて逐一置換の許可を受け付ける処理、又は無条件で入力付随情報を残す処理を行う形態であってもよい。入力付随情報を付随情報で置換することを制限することにより、使用者が手動で入力した入力付随情報を用いて音楽データを管理することが可能となる。
【００３７】
ステップＳ２０８で、受信した検索結果が付随情報がないことを示す情報であって付随情報を取得できなかった場合は（Ｓ２０８：ＮＯ）、ＣＰＵ１１は、付随情報の取得を試行した試行回数を１加算して、選択している音楽データに関連付けられた回数情報を更新する（Ｓ２１５）。ステップＳ２０５で付随情報の取得の試行を実行すべきでないと判定した場合（Ｓ２０５：ＮＯ）、ステップＳ２１４が終了した後、又はステップＳ２１５が終了した後は、ＣＰＵ１１は、付随情報が未取得である音楽データの内で、まだ未選択の音楽データがあるか否かを判定する（Ｓ２１６）。まだ未選択の音楽データがある場合は（Ｓ２１６：ＹＥＳ）、ＣＰＵ１１は、処理をステップＳ２０３へ戻して、付随情報が未取得でまだ未選択の音楽データを選択する。未選択の音楽データがない場合は（Ｓ２１６：ＮＯ）、ＣＰＵ１１は、処理を終了する。
【００３８】
以上の処理によって、音楽記憶装置１は、音楽ＣＤ２１から読み出したＴＯＣ情報を用いて、音楽データに関する付随情報の取得を随時試行する。音楽記憶装置１は、取得した付随情報、仮付随情報又は入力付随情報を関連付けて音楽データを記憶部１５で記憶し、付随情報を用いた音楽データの指定を受け付け、指定された音楽データに基づいて再生処理部１９で音楽を再生する。
【００３９】
以上詳述した如く、本発明においては、音楽ＣＤ２１から音楽データを取り込む際にデータベースサーバ装置３から音楽データに関するアルバム名等の付随情報を取得する音楽記憶装置１は、音楽ＣＤ２１から取り込んだ音楽データに関する付随情報を取得できない場合は、付随情報を取得するために必要な音楽ＣＤ２１のＴＯＣ情報を記憶しておき、記憶したＴＯＣ情報を用いて付随情報の取得を随時試行する。従って、データベースサーバ装置３に付随情報が記憶されていない場合でも、データベースサーバ装置３の記憶内容が更新された際に、音楽記憶装置１は改めて必要な付随情報を取得することができる。このとき、音楽記憶装置１は、記憶しているＴＯＣ情報を用いて付随情報の取得の試行を行うことができるので、保管してある音楽ＣＤ２１を持ち出すことなく、使用者に手間をかけさせずに容易に付随情報を取得することが可能となる。
【００４０】
更に本発明においては、音楽記憶装置１が付随情報を取得できない場合に、日付等の仮の内容からなる仮付随情報を音楽データに関連付けておき、付随情報を取得できた場合に、仮付随情報を取得した付随情報で置換する。これにより、付随情報が未取得の状態であっても、仮付随情報を利用して音楽データを管理することができる。
【００４１】
なお、本実施の形態においては、本発明のコンテンツ記憶装置である音楽記憶装置１は、ＲＯＭ１３が記憶する制御プログラムに従ってＣＰＵ１１が主な処理を実行する形態を示したが、音楽記憶装置１は、本発明に係る主な処理を実行するＡＳＩＣ（Application Specific Integrated Circuit ）等の専用のハードウェアを備えた形態であってもよい。
【００４２】
また本実施の形態においては、音楽記憶装置１に通信ネットワークＮを介して接続されたデータベースサーバ装置３を用いて本発明に係るデータベースを構成する形態を示したが、本発明は、これに限るものではなく、音楽記憶装置１が備える記憶部１５の記憶容量の一部を用いてデータベースを構成する形態、又は光ディスク等の記録媒体を用いてデータベースを構成しておき、ドライブ部１４で記録媒体を読み取ることでデータベースを利用する形態であってもよい。また本実施の形態においては、音楽記憶装置１が内蔵するハードディスク等の記憶部１５を本発明に係る記憶手段として用いた形態を示したが、音楽記憶装置１でデータを記憶させた後で音楽記憶装置１から取り出すことが可能な可搬型のハードディスク、光ディスク又は磁気テープ等の記憶媒体を記憶手段として用いてもよい。
【００４３】
更に、本実施の形態においては、本発明のコンテンツ記憶装置が音楽データを記憶するする音楽記憶装置である例を示したが、本発明のコンテンツ記憶装置は、これに限るものではなく、コンテンツデータとして静止画像又は動画像を含んだコンテンツデータを記憶する形態であってもよい。また、本発明に係る記録媒体の例として音楽ＣＤ２１を示しているが、本発明のコンテンツ記憶装置が扱う記録媒体は音楽ＣＤに限るものではなく、ＳＡＣＤ（Super Audio CD）、ＤＶＤ−Ａｕｄｉｏ又はＤＶＤ−Ｖｉｄｅｏ等のその他の記録媒体であってもよい。これらの記録媒体の場合は、記録内容を特定するための特定情報としてＴＯＣ情報以外の情報を用いてもよい。
【図面の簡単な説明】
【００４４】
【図１】本発明のコンテンツ記憶装置である音楽記憶装置の内部の機能構成を示す機能ブロック図である。
【図２】本発明のコンテンツ記憶装置である音楽記憶装置が音楽データの記憶及び付随情報の取得を行う処理の手順を示すフローチャートである。
【図３】本発明のコンテンツ記憶装置である音楽記憶装置が音楽データの記憶及び付随情報の取得を行う処理の手順を示すフローチャートである。
【図４】音楽記憶装置が記憶部に記憶する記憶内容の例を概念的に示す概念図である。
【図５】本発明のコンテンツ記憶装置である音楽記憶装置が、付随情報を取得できなかった音楽データについて付随情報の取得を再度試行する処理の手順を示すフローチャートである。
【図６】本発明のコンテンツ記憶装置である音楽記憶装置が、付随情報を取得できなかった音楽データについて付随情報の取得を再度試行する処理の手順を示すフローチャートである。
【符号の説明】
【００４５】
１  音楽記憶装置（コンテンツ記憶装置）
１１  ＣＰＵ
１４  ドライブ部（読出手段）
１５  記憶部（記憶手段、付随情報記憶手段）
１８  通信部
２１  音楽ＣＤ（記録媒体）
３  データベースサーバ装置（データベース）
【図１】
2006338814.tif 000003
【図２】
2006338814.tif 000004
【図３】
2006338814.tif 000005
【図４】
2006338814.tif 000006
【図５】
2006338814.tif 000007
【図６】
2006338814.tif 000008